(57)【要約】 【課題】画像読み取り装置が画像形成装置の画像形成動作中に媒体上の画像を読み取る際に画像形成装置の振動が実際に画像読み取りにどの程度影響を及ぼすか、を把握することにより装置の設置状態を確認することにある。【解決手段】画像を形成するための画像形成装置と、該画像形成装置の動作中に画像を読み取り可能な画像読み取り装置と、前記画像形成装置及び前記画像読み取り装置のうちの少なくともどちらか一方に設けられたコントローラであって、前記画像形成装置及び前記画像読み取り装置のうちの少なくともどちらか一方の設置状態を確認するために前記画像形成装置の画像形成動作中に前記画像としてテストパターンを前記画像読み取り装置に読み取らせる設置状態確認動作モード、を実行させるためのコントローラと、を備えることを特徴とする。【選択図】        図９
2006345078.tif 000002
【特許請求の範囲】
【請求項１】
画像を形成するための画像形成装置と、
該画像形成装置の動作中に画像を読み取り可能な画像読み取り装置と、
前記画像形成装置及び前記画像読み取り装置のうちの少なくともどちらか一方に設けられたコントローラであって、前記画像形成装置及び前記画像読み取り装置のうちの少なくともどちらか一方の設置状態を確認するために前記画像形成装置の画像形成動作中に前記画像としてテストパターンを前記画像読み取り装置に読み取らせる設置状態確認動作モード、を実行させるためのコントローラと、
を備えることを特徴とする画像形成システム。
【請求項２】
請求項１に記載の画像形成システムにおいて、
前記画像形成装置は、互いに異なる複数の色の現像剤によりカラー画像を形成可能であり、かつ、ブラック色の現像剤によりモノクロ画像を形成可能であり、
前記設置状態確認動作モードが実行される際には、前記画像形成装置のカラー画像形成動作中及びモノクロ画像形成動作中に、前記画像読み取り装置が前記テストパターンを読み取ることを特徴とする画像形成システム。
【請求項３】
請求項２に記載の画像形成システムにおいて、
前記設置状態確認動作モードにおいては、前記画像読み取り装置が一枚の媒体に形成された前記テストパターンの読み取りを開始してから終了するまでの間に、前記カラー画像形成動作及び前記モノクロ画像形成動作が実行されることを特徴とする画像形成システム。
【請求項４】
請求項１乃至請求項３のいずれかに記載の画像形成システムにおいて、
前記設置状態確認動作モードにおいては、前記画像形成装置の画像形成動作が実行される一方で、媒体への画像形成は行われないことを特徴とする画像形成システム。
【請求項５】
請求項１乃至請求項３のいずれかに記載の画像形成システムにおいて、
前記設置状態確認動作モードにおいては、前記画像形成装置の画像形成動作が実行されることにより、前記設置状態確認動作モードに関する情報が媒体に形成されることを特徴とする画像形成システム。
【請求項６】
請求項１乃至請求項５のいずれかに記載の画像形成システムにおいて、
該画像形成システムは、コンピュータを備えており、
該コンピュータの一部が前記コントローラの一部を構成していることを特徴とする画像形成システム。
【請求項７】
請求項６に記載の画像形成システムにおいて、
前記コンピュータは、表示装置を備えており、
前記設置状態確認動作モードが実行される際に、前記コントローラは、前記画像読み取り装置が前記テストパターンを読み取ることにより取得された読み取りデータ、に基づいて読み取りパターンを前記表示装置に表示することを特徴とする画像形成システム。
【請求項８】
請求項７に記載の画像形成システムにおいて、
前記コントローラは、前記読み取りパターンを、前記テストパターンと同一スケールで、前記表示装置に表示することを特徴とする画像形成システム。
【請求項９】
請求項７又は請求項８に記載の画像形成システムにおいて、
前記コントローラは、前記読み取りパターンと共に、前記設置状態を改善させるための方策に係る情報、を前記表示装置に表示することを特徴とする画像形成システム。
【請求項１０】
請求項９に記載の画像形成システムにおいて、
前記画像形成装置及び前記画像読み取り装置のうちの少なくともどちらか一方の装置は、該装置が設置される設置台からの、又は、該設置台への振動の伝達を防止するための振動伝達防止部材を備え、
前記方策は、該振動伝達防止部材に関する方策であることを特徴とする画像形成システム。
【請求項１１】
請求項１０に記載の画像形成システムにおいて、
前記方策は、前記振動伝達防止部材の、該振動伝達防止部材とは異なる特性を有する他の振動伝達防止部材への取り替え、であることを特徴とする画像形成システム。
【請求項１２】
画像を形成するための画像形成装置と、
該画像形成装置の動作中に画像を読み取り可能な画像読み取り装置と、
前記画像形成装置及び前記画像読み取り装置のうちの少なくともどちらか一方に設けられたコントローラであって、前記画像形成装置及び前記画像読み取り装置のうちの少なくともどちらか一方の設置状態を確認するために前記画像形成装置の画像形成動作中に前記画像としてテストパターンを前記画像読み取り装置に読み取らせる設置状態確認動作モード、を実行させるためのコントローラと、  
を備え、
前記画像形成装置は、互いに異なる複数の色の現像剤によりカラー画像を形成可能であり、かつ、ブラック色の現像剤によりモノクロ画像を形成可能であり、
前記設置状態確認動作モードが実行される際には、前記画像形成装置のカラー画像形成動作中及びモノクロ画像形成動作中に、前記画像読み取り装置が前記テストパターンを読み取り、
前記設置状態確認動作モードにおいては、前記画像読み取り装置が一枚の媒体に形成された前記テストパターンの読み取りを開始してから終了するまでの間に、前記カラー画像形成動作及び前記モノクロ画像形成動作が実行され、
前記設置状態確認動作モードにおいては、前記画像形成装置の画像形成動作が実行されることにより、前記設置状態確認動作モードに関する情報が媒体に形成され、
コンピュータを備えており、該コンピュータの一部が前記コントローラの一部を構成しており、
前記コンピュータは、表示装置を備えており、
前記設置状態確認動作モードが実行される際に、前記コントローラは、前記画像読み取り装置が前記テストパターンを読み取ることにより取得された読み取りデータ、に基づいて読み取りパターンを前記表示装置に表示し、
前記コントローラは、前記読み取りパターンを、前記テストパターンと同一スケールで、前記表示装置に表示し、
前記コントローラは、前記読み取りパターンと共に、前記設置状態を改善させるための方策に係る情報、を前記表示装置に表示し、
前記画像形成装置及び前記画像読み取り装置のうちの少なくともどちらか一方の装置は、該装置が設置される設置台からの、又は、該設置台への振動の伝達を防止するための振動伝達防止部材を備え、
前記方策は、該振動伝達防止部材に関する方策であり、
前記方策は、前記振動伝達防止部材の、該振動伝達防止部材とは異なる特性を有する他の振動伝達防止部材への取り替え、であることを特徴とする画像形成システム。
【発明の詳細な説明】
【技術分野】
【０００１】
本発明は、画像形成システムに関する。特に、画像を形成するための画像形成装置と、該画像形成装置の動作中に画像を読み取り可能な画像読み取り装置と、を備える画像形成システムに関する。
【背景技術】
【０００２】
画像を媒体に形成するための画像形成装置と、媒体上の画像を読み取るための画像読み取り装置と、を有する画像形成システムは既によく知られている。かかる画像形成システムは、複数の機能、例えば、スキャナ機能、プリンタ機能、コピー機能等、を有している。
【０００３】
また、当該画像形成システムにおいては、前記複数の機能の並行実施が可能となるように、画像読み取り装置が画像形成装置の動作中に画像を読み取ることが可能となっている。
【特許文献１】特開平９−２１４４３号公報
【発明の開示】
【発明が解決しようとする課題】
【０００４】
ところで、画像形成装置が画像形成動作を実行する際に、当該画像形成装置が振動する場合がある。そして、画像読み取り装置が画像形成装置の画像形成動作中に媒体上の画像を読み取る際には、当該振動が、画像形成装置及び画像読み取り装置が設置されている設置台等を介して画像読み取り装置に伝わって、画像の読み取りが不適切に実行される可能性がある。
【０００５】
かかる課題を解決するために、振動検出センサを装置に設けて、当該振動検出センサが検出した検出結果に基づいて装置の設置状態を改善させる（例えば、装置に備えられている防振ダンパーを適切なものに切り替える）方策が提案されている。
【０００６】
しかしながら、装置の取り扱い者（装置のユーザやサービスマン等）にとっては、画像読み取り装置が画像形成装置の画像形成動作中に媒体上の画像を読み取る際に画像形成装置の振動が実際に画像読み取りにどの程度影響を及ぼすか、を把握することにより装置の設置状態を確認した上で、当該設置状態を改善させるための方策を講じるか否かを決定することが望ましく、前述した振動検出センサによる方策を採用した場合には、かかる要請に応えることは困難である。
【０００７】
本発明は、かかる課題に鑑みてなされたものであり、その目的とするところは、画像読み取り装置が画像形成装置の画像形成動作中に媒体上の画像を読み取る際に画像形成装置の振動が実際に画像読み取りにどの程度影響を及ぼすか、を把握することにより装置の設置状態を確認することができる画像形成システムを実現することにある。
【課題を解決するための手段】
【０００８】
主たる本発明は、画像を形成するための画像形成装置と、該画像形成装置の動作中に画像を読み取り可能な画像読み取り装置と、前記画像形成装置及び前記画像読み取り装置のうちの少なくともどちらか一方に設けられたコントローラであって、前記画像形成装置及び前記画像読み取り装置のうちの少なくともどちらか一方の設置状態を確認するために前記画像形成装置の画像形成動作中に前記画像としてテストパターンを前記画像読み取り装置に読み取らせる設置状態確認動作モード、を実行させるためのコントローラと、を備えることを特徴とする画像形成システムである。
【０００９】
本発明の他の特徴については、本明細書及び添付図面の記載により明らかにする。
【発明を実施するための最良の形態】
【００１０】
本明細書及び添付図面の記載により、少なくとも次のことが明らかにされる。
【００１１】
画像を形成するための画像形成装置と、該画像形成装置の動作中に画像を読み取り可能な画像読み取り装置と、前記画像形成装置及び前記画像読み取り装置のうちの少なくともどちらか一方に設けられたコントローラであって、前記画像形成装置及び前記画像読み取り装置のうちの少なくともどちらか一方の設置状態を確認するために前記画像形成装置の画像形成動作中に前記画像としてテストパターンを前記画像読み取り装置に読み取らせる設置状態確認動作モード、を実行させるためのコントローラと、を備えることを特徴とする画像形成システム。  
かかる画像形成システムによれば、画像読み取り装置が画像形成装置の画像形成動作中に媒体上の画像を読み取る際に画像形成装置の振動が実際に画像読み取りにどの程度影響を及ぼすか、を把握することにより装置の設置状態を確認することができる。
【００１２】
また、前記画像形成装置は、互いに異なる複数の色の現像剤によりカラー画像を形成可能であり、かつ、ブラック色の現像剤によりモノクロ画像を形成可能であり、前記設置状態確認動作モードが実行される際には、前記画像形成装置のカラー画像形成動作中及びモノクロ画像形成動作中に、前記画像読み取り装置が前記テストパターンを読み取ることとしてもよい。  
かかる場合には、画像読み取り装置が画像形成装置の画像形成動作中に媒体上の画像を読み取る際に画像形成装置の振動が実際に画像読み取りにどの程度影響を及ぼすか、をより詳細に把握することができる。
【００１３】
また、前記設置状態確認動作モードにおいては、前記画像読み取り装置が一枚の媒体に形成された前記テストパターンの読み取りを開始してから終了するまでの間に、前記カラー画像形成動作及び前記モノクロ画像形成動作が実行されることとしてもよい。  
かかる場合には、テストパターンが形成された媒体を節約することが可能となる。
【００１４】
また、前記設置状態確認動作モードにおいては、前記画像形成装置の画像形成動作が実行される一方で、媒体への画像形成は行われないこととしてもよい。  
かかる場合には、現像剤を節約することが可能となる。
【００１５】
また、前記設置状態確認動作モードにおいては、前記画像形成装置の画像形成動作が実行されることにより、前記設置状態確認動作モードに関する情報が媒体に形成されることとしてもよい。  
かかる場合には、取り扱い者の利便性が向上する。
【００１６】
また、該画像形成システムは、コンピュータを備えており、該コンピュータの一部が前記コントローラの一部を構成していることとしてもよい。
【００１７】
また、前記コンピュータは、表示装置を備えており、前記設置状態確認動作モードが実行される際に、前記コントローラは、前記画像読み取り装置が前記テストパターンを読み取ることにより取得された読み取りデータ、に基づいて読み取りパターンを前記表示装置に表示することとしてもよい。  
かかる場合には、取り扱い者が、正確な情報に基づいて、読み取りパターンに発生する乱れの有無や発生の程度を確認することができる。
【００１８】
また、前記コントローラは、前記読み取りパターンを、前記テストパターンと同一スケールで、前記表示装置に表示することとしてもよい。  
かかる場合には、取り扱い者が、画像読み取り装置が画像形成装置の画像形成動作中に媒体上の画像を読み取る際に画像形成装置の振動が実際に画像読み取りにどの程度影響を及ぼすか、を、より正確に把握することができる。
【００１９】
また、前記コントローラは、前記読み取りパターンと共に、前記設置状態を改善させるための方策に係る情報、を前記表示装置に表示することとしてもよい。  
かかる場合には、取り扱い者が、設置状態を改善させるための方策を円滑に講じることができる。
【００２０】
また、前記画像形成装置及び前記画像読み取り装置のうちの少なくともどちらか一方の装置は、該装置が設置される設置台からの、又は、該設置台への振動の伝達を防止するための振動伝達防止部材を備え、前記方策は、該振動伝達防止部材に関する方策であることとしてもよい。また、当該方策は、前記振動伝達防止部材の、該振動伝達防止部材とは異なる特性を有する他の振動伝達防止部材への取り替え、であることとしてもよい。
【００２１】
また、画像を形成するための画像形成装置と、該画像形成装置の動作中に画像を読み取り可能な画像読み取り装置と、前記画像形成装置及び前記画像読み取り装置のうちの少なくともどちらか一方に設けられたコントローラであって、前記画像形成装置及び前記画像読み取り装置のうちの少なくともどちらか一方の設置状態を確認するために前記画像形成装置の画像形成動作中に前記画像としてテストパターンを前記画像読み取り装置に読み取らせる設置状態確認動作モード、を実行させるためのコントローラと、を備え、前記画像形成装置は、互いに異なる複数の色の現像剤によりカラー画像を形成可能であり、かつ、ブラック色の現像剤によりモノクロ画像を形成可能であり、前記設置状態確認動作モードが実行される際には、前記画像形成装置のカラー画像形成動作中及びモノクロ画像形成動作中に、前記画像読み取り装置が前記テストパターンを読み取り、前記設置状態確認動作モードにおいては、前記画像読み取り装置が一枚の媒体に形成された前記テストパターンの読み取りを開始してから終了するまでの間に、前記カラー画像形成動作及び前記モノクロ画像形成動作が実行され、前記設置状態確認動作モードにおいては、前記画像形成装置の画像形成動作が実行されることにより、前記設置状態確認動作モードに関する情報が媒体に形成され、コンピュータを備えており、該コンピュータの一部が前記コントローラの一部を構成しており、前記コンピュータは、表示装置を備えており、前記設置状態確認動作モードが実行される際に、前記コントローラは、前記画像読み取り装置が前記テストパターンを読み取ることにより取得された読み取りデータ、に基づいて読み取りパターンを前記表示装置に表示し、前記コントローラは、前記読み取りパターンを、前記テストパターンと同一スケールで、前記表示装置に表示し、前記コントローラは、前記読み取りパターンと共に、前記設置状態を改善させるための方策に係る情報、を前記表示装置に表示し、前記画像形成装置及び前記画像読み取り装置のうちの少なくともどちらか一方の装置は、該装置が設置される設置台からの、又は、該設置台への振動の伝達を防止するための振動伝達防止部材を備え、前記方策は、該振動伝達防止部材に関する方策であり、前記方策は、前記振動伝達防止部材の、該振動伝達防止部材とは異なる特性を有する他の振動伝達防止部材への取り替え、であることを特徴とする画像形成システムも実現可能である。  
このようにすれば、既述の殆どの効果を奏するため、本発明の目的がより有効に達成される。
【００２２】
＝＝＝画像形成システムの構成例＝＝＝
先ず、図１乃至図６を用いて、画像形成システム７００の構成例について説明する。図１は、画像形成システム７００の外観構成例を示した斜視図である。図２乃至図６については、後述する。
【００２３】
この画像形成システム７００は、マルチファンクションプリンタ装置（以下、ＭＦＰ装置１０とも呼ぶ）と、当該ＭＦＰ装置１０と電気的に接続可能なコンピュータ７０２と、を備えている。
【００２４】
コンピュータ７０２は、ＣＲＴ（Cathode Ray Tube：陰極線管）、液晶表示装置、プラズマディスプレイ等の情報を表示するための表示装置７０４と、キーボード７０８Ａ、マウス７０８Ｂ等の入力装置７０８と、ＦＤ（フレキシブルディスク）ドライブ装置７１０Ａ、ＣＤ−ＲＯＭドライブ装置７１０Ｂ、ＭＯ（Magneto Optical）ディスクドライブ装置（不図示）、ＤＶＤ（Digital Versatile Disk）装置（不図示）等のメディア読取装置７１０と、ＲＡＭ等の内部メモリ（不図示）と、ハードディスクドライブユニット等の外部メモリ（不図示）と、を備えている。また、コンピュータ７０２は、本実施形態ではミニタワー型の筐体に収納されているが、これに限られるものではない。
【００２５】
ＭＦＰ装置１０は、画像を読み取るための画像読み取り機能（すなわち、スキャナ機能）、紙、フィルム、布等の媒体に画像を形成するための画像形成機能（すなわち、プリンタ機能）、スキャナ機能により読み取られた画像を媒体に形成するためのコピー機能などを有している。
【００２６】
図１に示すように、ＭＦＰ装置１０は、これらの機能を実現するために、画像を読み取るための画像読み取り装置の一例としてのスキャナユニット１２と、画像を媒体に形成するための画像形成装置の一例としてのプリンタユニット１４と、を備えており、スキャナユニット１２とプリンタユニット１４は、画像信号や制御信号の通り道となる信号線１６で結ばれている。
【００２７】
なお、ＭＦＰ装置１０のスキャナ機能が実行される際には、媒体上の画像が読み取られ、読み取られた画像が画像データ（信号）としてＭＦＰ装置１０内に保管される。また、ＭＦＰ装置１０のプリンタ機能としては、スキャナ機能の実行によりＭＦＰ装置１０内に保管された画像データ（信号）に基づいて、画像形成を行う機能（以下、当該機能を、便宜上、第一プリンタ機能とも呼ぶ）と、ＵＳＢやパラレルインターフェース、又は、ネットワークを介して、ＭＦＰ装置１０に電気的に接続されたコンピュータ７０２、から送られてくる画像データ（信号）に基づいて、画像形成を行う機能（以下、当該機能を、便宜上、第二プリンタ機能とも呼ぶ）がある。
【００２８】
＜＜＜スキャナユニット１２の構成例＞＞＞
ここでは、スキャナユニット１２の構成例について、図１乃至図５を用いて説明する。図２乃至図４は、スキャナユニット１２の構成例を示した図である。図５は、スキャナユニット１２の側面図である。なお、図２は、図３中記号Ａ１で示される矢印の方向から図３に示したスキャナユニット１２を見た様子を模式的に表した図であり、また、図４中記号Ａ２で示される矢印の方向から図４に示したスキャナユニット１２を見た様子を模式的に表した図でもある。また、図５は、図１中記号Ａ３で示される矢印の方向から図１に示したスキャナユニット１２を見た様子を模式的に表した図である。
【００２９】
スキャナユニット１２は、原稿台ガラス１１２と、原稿台カバー１１４と、読取キャリッジ１１６と、ガイド部材１１８と、支持レール１２０と、駆動部１２２と、を備えている。
【００３０】
原稿台ガラス１１２は、読み取る原稿、すなわち、読み取る画像が形成された媒体Ｐ、を載置するためのものである。この原稿台ガラス１１２は、スキャナユニット１２の上部に設けられている。  
原稿台カバー１１４は、媒体上の画像読み取り時、又は、スキャナユニット１２の不使用時に、原稿台ガラス１１２を覆う機能を有している。この原稿台カバー１１４は、原稿台ガラス１１２よりも上部に設けられており、開閉可能となるように構成されている。また、原稿台カバー１１４は、閉止した際に原稿台ガラス１１２上に載置された媒体Ｐを原稿台ガラス１１２側に押圧する機能も有している。
【００３１】
読取キャリッジ１１６は、移動しながら媒体Ｐ上の画像を読み取る機能を有している。この読取キャリッジ１１６は、原稿台ガラス１１２に対向する位置に設けられており、露光ランプ１１６ａと、レンズ１１６ｂと、４枚のミラー１１６ｃと、ＣＣＤセンサ１１６ｄ等を備えている。
【００３２】
露光ランプ１１６ａは、原稿台ガラス１１２を介して媒体Ｐに光を照射するための光源である。レンズ１１６ｂは、媒体Ｐによる反射光を集光するためのものである。ミラー１１６ｃは、前記反射光をレンズ１１６ｂに導くためのものである。そして、露光ランプ１１６ａから媒体Ｐに照射された光が、媒体Ｐにより反射されると、反射された反射光が、４枚のミラー１１６ｃとレンズ１１６ｂとを介して、ＣＣＤセンサ１１６ｄに到達し、到達した反射光が、ＣＣＤセンサ１１６ｄによって、受光される。
【００３３】
ＣＣＤセンサ１１６ｄは、光信号を電気信号に変換するフォトダイオードが列状に配置された３本のラインセンサで構成され、これら３本のラインセンサは平行に配置されている。ＣＣＤセンサ１１６ｄは、図示しないＲ（レッド）、Ｇ（グリーン）、Ｂ（ブルー）の３つのフィルタを備え、ラインセンサ毎に異なる色のフィルタが設けられている。各ラインセンサはフィルタの色に対応した成分の光をそれぞれ検出する。例えば、Ｒのフィルタを備えたラインセンサは赤色成分の光の強弱を検出する。３本のラインセンサは、読取キャリッジ１１６の移動方向に直交する方向（以下、直交方向とも呼ぶ）に沿って配置されている。
【００３４】
また、読取キャリッジ１１６は、前記移動方向に移動可能であり、これを実現するために、スキャナユニット１２には、ガイド部材１１８と、支持レール１２０と、駆動部１２２と、が設けられている。  
ガイド部材１１８は、前記移動方向に沿って設けられている円筒材である。このガイド部材１１８は、読取キャリッジ１１６の前記直交方向一端側に設けられている、スラスト軸受でなるガイド受け部１１６ｅ、を貫通している。  
支持レール１２０も、前記移動方向に沿って設けられている。この支持レール１２０は、読取キャリッジ１１６の前記直交方向他端側に設けられているスライド部材１１６ｆを、スライド自在に支持している。
【００３５】
駆動部１２２は、読取キャリッジ１１６を前記移動方向に移動させる機能を有する。この駆動部１２２は、前記直交方向一端側のみに設けられており、タイミングベルト１２２ａと、駆動プーリ１２２ｂと、従動プーリ１２２ｃと、パルスモータ１２２ｄと、読取キャリッジ１１６のホームポジションを検出するためのホームポジションセンサ１２２ｅ（図７）と、を備えている。
【００３６】
パルスモータ１２２ｄは、駆動源であり、当該パルスモータ１２２ｄの回転軸に取り付けられた駆動プーリ１２２ｂを駆動する。そして、駆動された駆動プーリ１２２ｂがタイミングベルト１２２ａを回転させる。タイミングベルト１２２ａは、環状のベルトであり、その長手方向が前記移動方向に沿うように設けられている。当該タイミングベルト１２２ａには、読取キャリッジ１１６の長手方向一端部が固定されており、タイミングベルト１２２ａが回転することにより、当該タイミングベルト１２２ａに固定されている読取キャリッジ１１６が、前記ガイド部材１１８及び支持レール１２０上を移動するようになっている。なお、前記駆動プーリ１２２ｂは、タイミングベルト１２２ａの長手方向一端側に位置しており、タイミングベルト１２２ａの長手方向他端側には、タイミングベルト１２２ａに従動する従動プーリ１２２ｃが設けられている。また、パルスモータ１２２ｄは、タイミングベルト１２２ａを双方向に回転させることが可能なため、前記読取キャリッジ１１６は、順方向（図２に矢印で示した移動方向のうち、左側から右側へ向かう方向）及び逆方向（図２に矢印で示した移動方向のうち、右側から左側へ向かう方向）に移動することができる。
【００３７】
また、スキャナユニット１２は、図５に示すように、振動伝達防止部材の一例としての脚１１０を備えている。この脚１１０は、スキャナユニット１２の筐体１０８の下部に４つ取り付けられており、スキャナユニット１２の右手前側、左手前側、右奥側、左奥側の４箇所に、それぞれ設けられている。そして、当該脚１１０は、スキャナユニット１２が設置される設置台からの、又は、該設置台への振動の伝達を防止する役割を果たす。すなわち、この脚１１０は、設置台の振動がスキャナユニット１２に伝達することを防止し、かつ、スキャナユニット１２の振動が設置台に伝達することを防止する。
【００３８】
なお、本実施の形態においては、かかる脚１１０として、互いにその特性が異なる４種類の脚１１０が用意されており、ＭＦＰ装置１０の出荷時には、４種類の脚１１０のうちの一がスキャナユニット１２に取り付けられており、残りの脚１１０はＭＦＰ装置１０の付属品として該ＭＦＰ装置１０に付属している。より具体的には、４種類の脚１１０として、ポリアセタールを用いたプラスチック製の脚（以下、便宜上、第一脚とも呼ぶ）、その硬度がＪＩＳ−Ａで約６０度であるＮＢＲゴム製の脚（以下、便宜上、第二脚とも呼ぶ）、その硬度がＡＳＫＥＲ−Ｃで約６０度である硬質ウレタン発泡材製の脚（以下、便宜上、第三脚とも呼ぶ）、及び、その硬度がＡＳＫＥＲ−Ｃで約３０度である超軟質ウレタンゴム製の脚（以下、便宜上、第四脚とも呼ぶ）、が用意されている。
【００３９】
また、スキャナユニット１２には、操作パネル１３０が設けられている。この操作パネル１３０は、作業者とのインターフェースとなる部分であり、作業者からの各種指示を受け付けるための指示受付部や作業者へ各種情報を与えるための情報出力部としての機能を発揮する。これらの機能を発揮するために、操作パネル１３０は、操作ボタン、液晶パネル等を備えている。
【００４０】
例えば、作業者が、画像の読み取り（ＭＦＰ装置１０のスキャナ機能により媒体上の画像が読み取られ、読み取られた画像がＭＦＰ装置１０内に保管される）を行いたいときには、スキャンボタンを、媒体上の画像のコピーを行いたいときには、コピーボタンを、画像のプリント（ＭＦＰ装置１０内に保管されている画像がＭＦＰ装置１０のプリンタ機能により媒体に形成される）を行いたいときには、プリントボタンを、それぞれ押すことにより、各々に対応する処理が実行される。
【００４１】
なお、本実施の形態に係る操作パネル１３０は、媒体上の画像が読み取られる際の読み取り条件や画像が媒体に形成される際の画像形成条件を作業者に選択させる機能を備えている。読み取り条件としては、例えば、読取解像度を、画像形成条件としては、例えば、カラー画像の形成を行うかモノクロ画像の形成を行うか等、を挙げることができる。
【００４２】
＜＜＜プリンタユニット１４の構成例＞＞＞
ここでは、プリンタユニット１４の構成例について、図１及び図６を用いて説明する。図６は、プリンタユニット１４の構成例を示した図である。なお、図６には、矢印にて上下方向を示しており、例えば、給紙トレイ９２は、プリンタユニット１４の下部に配置されており、定着ユニット９０は、プリンタユニット１４の上部に配置されている。
【００４３】
本実施の形態に係るプリンタユニット１４は、図６に示すように、感光体２０の回転方向に沿って、帯電ユニット３０、露光ユニット４０、現像装置装着ユニット４８、一次転写ユニット６０、中間転写体７０、クリーニングユニット７５を有し、さらに、二次転写ユニット８０、定着ユニット９０、送風ユニット９８等を有している。
【００４４】
感光体２０は、円筒状の導電性基材とその外周面に形成された感光層を有し、中心軸を中心に回転可能であり、本実施の形態においては、図６中の矢印で示すように時計回りに回転する。  
帯電ユニット３０は、感光体２０を帯電するための装置であり、露光ユニット４０は、レーザを照射することによって帯電された感光体２０上に潜像を形成する装置である。この露光ユニット４０は、半導体レーザ、ポリゴンミラー、Ｆ−θレンズ等を有しており、画像信号に基づいて、変調されたレーザを帯電された感光体２０上に照射する。
【００４５】
現像装置装着ユニット４８は、ロータリー５０を有し、当該ロータリー５０には、現像剤の一例としてのトナーを収容し感光体２０上に形成された潜像を現像するための現像装置、が装着可能な複数の装着部５０ａ、５０ｂ、５０ｃ、５０ｄが設けられている。そして、図６に示すように、ロータリー５０の４つの装着部５０ａ、５０ｂ、５０ｃ、５０ｄには、ブラック現像装置５１、シアン現像装置５２、マゼンタ現像装置５３、および、イエロー現像装置５４が、それぞれ装着されている。
【００４６】
また、ロータリー５０は、回動することにより、前記４つの現像装置５１、５２、５３、５４を移動させることが可能である。すなわち、ロータリー５０は、回動軸５０ｅを中心として回動可能に設けられており、当該ロータリー５０には、回動軸５０ｅを取り囲むように、周方向に９０度間隔で、４つの装着部５０ａ、５０ｂ、５０ｃ、５０ｄが設けられている。このため、各装着部に４つの現像装置５１、５２、５３、５４がそれぞれ装着された状態で、回動軸５０ｅを中心としてロータリー５０が回動すると、装着されている４つの現像装置５１、５２、５３、５４は、互いの相対位置を維持したまま移動することになる。そして、各現像装置５１、５２、５３、５４は、感光体２０上に形成された潜像を現像する際に、感光体２０と対向する位置に移動する。そして、ある現像装置にて１ページ分の潜像が現像されると、ロータリー５０が９０°回動し、隣接する現像装置が感光体２０と対向する位置に移動して、前記潜像を現像する。
【００４７】
なお、現像装置装着ユニット４８には、現像装置が感光体２０と対向する位置、にロータリー５０を確実に位置決めするための不図示のロック機構が設けられている。このロック機構は、凹部を有するレバー、ソレノイド等から構成されており、レバーが、ソレノイドにより駆動されることにより回動し、ロータリー５０に設けられている凸部に嵌合してロータリー５０を前記位置に位置決めする。
【００４８】
一次転写ユニット６０は、感光体２０に形成された単色トナー像を中間転写体７０に転写するための装置であり、４色のトナーが順次重ねて転写されると、中間転写体７０にフルカラートナー像が形成される。  
この中間転写体７０は、ＰＥＴフィルムの表面に錫蒸着層を設けさらにその表層に半導電塗料を形成、積層したエンドレスのベルトであり、感光体２０とほぼ同じ周速度にて回転駆動される。
【００４９】
なお、中間転写体７０の近傍には、同期用読取センサＲＳが配置されている。この同期用読取センサＲＳは中間転写体７０の基準位置を検出するためのセンサであり、主走査方向とほぼ直交する副走査方向における同期信号、つまり垂直同期信号Ｖｓｙｎｃを得るための垂直同期用読取センサとして機能する。より具体的には、前記同期用読取センサＲＳは、光を発するための発光部と光を受光するための受光部を有し、中間転写体７０の所定の位置に形成された穴が、前記発光部から発光された光を通過する際に、前記受光部により当該光が受光され、当該同期用読み取りセンサＲＳは、中間転写体７０が１回転するごとにパルス信号を出力する。
【００５０】
二次転写ユニット８０は、中間転写体７０上に形成されたトナー像を紙、フィルム、布等の媒体に転写するための装置である。  
定着ユニット９０は、媒体上に転写されたトナー像を媒体に融着させて永久像とするための装置である。定着ユニット９０は、定着ローラ９０ａと、該定着ローラ９０ａに圧接可能な加圧ローラ９０ｂと、を有し、定着ローラ９０ａと、該定着ローラ９０ａに媒体を介して圧接している加圧ローラ９０ｂと、が挟持する媒体上のトナー像を該媒体に定着する。
【００５１】
クリーニングユニット７５は、一次転写ユニット６０と帯電ユニット３０との間に設けられ、感光体２０の表面に当接されたゴム製のクリーニングブレード７６を有し、一次転写ユニット６０によって中間転写体７０上にトナー像が転写された後に、感光体２０上に残存するトナーをクリーニングブレード７６により掻き落として除去するための装置である。  
送風ユニット９８は、ファン９８ａを有し、不図示の温度センサが検知した温度情報に基づいて、ファン９８ａを回転（回動）させることにより、プリンタユニット１４内に風を送るための装置である。
【００５２】
また、プリンタユニット１４は、図６に示すように、スキャナユニット１２と同様、振動伝達防止部材の一例としての脚１９を備えている。この脚１９は、プリンタユニット１４の筐体１８の下部に４つ取り付けられており、プリンタユニット１４の右手前側、左手前側、右奥側、左奥側の４箇所に、それぞれ設けられている。そして、当該脚１９は、プリンタユニット１４が設置される設置台からの、又は、該設置台への振動の伝達を防止する役割を果たす。すなわち、この脚１９は、設置台の振動がプリンタユニット１４に伝達することを防止し、かつ、プリンタユニット１４の振動が設置台に伝達することを防止する。
【００５３】
なお、本実施の形態においては、かかる脚１９として、プリンタユニット１４と同様、互いにその特性が異なる４種類の脚１９が用意されており、ＭＦＰ装置１０の出荷時には、４種類の脚１９のうちの一がプリンタユニット１４に取り付けられており、残りの脚１９はＭＦＰ装置１０の付属品として該ＭＦＰ装置１０に付属している。より具体的には、４種類の脚１９として、前述した第一脚、第二脚、第三脚、及び、第四脚が用意されている。
【００５４】
＝＝＝画像形成システムのコントローラの構成例＝＝＝
ここでは、画像形成システム７００のコントローラ２００の構成例について、図７を用いて説明する。図７は、図１に示した画像形成システム７００の構成の一部を示すブロック図である。
【００５５】
本実施の形態においては、コンピュータ７０２の一部と、ＭＦＰ装置１０の一部とが、それぞれ、コントローラ２００の一部を構成している。すなわち、コントローラ２００は、コンピュータ側制御部２０２と、ＭＦＰ装置側制御部２０４と、を備えており、双方の制御部は、インターフェース２１６、８０８と、ＵＳＢ、パラレルインターフェース、又は、ネットワークと、を介して、電気的に接続されている。
【００５６】
コンピュータ側制御部２０２は、ＭＦＰ装置１０のデバイスドライバ７９６や、前記インターフェース８０８を備えている。デバイスドライバ７９６には、画像処理部７９７と、表示インターフェース部８０１と、入力インターフェース部８０３と、ユーザインターフェース処理部８０５と、が設けられている。
【００５７】
画像処理部７９７は、アプリケーションプログラム７９５により解釈され得る画像データを受け取り、ＭＦＰ装置１０により解釈され得る画像データに変換し、変換された画像データを、各種制御信号と共にＭＦＰ装置１０に送出する。当該機能を実現するために、画像処理部７９７は、例えば、画像データの、ＲＧＢからＹＭＣＫへの色成分の変換処理やハーフトーン処理等を実施する。
【００５８】
表示インターフェース部８０１は、種々のユーザインターフェースウィンドウを表示装置７０４に表示する機能を有している。また、入力インターフェース部８０３は、ユーザが前記ユーザインターフェースウィンドウ上で入力装置７０８によって入力した入力情報、を受け取る機能を有している。
【００５９】
ユーザインターフェース処理部８０５は、表示インターフェース部８０１又は入力インターフェース部８０３と、ＭＦＰ装置１０間のインターフェースを取る機能を有している。例えば、ユーザインターフェース処理部８０５は、入力インターフェース部８０３から前記入力情報を受け取って、当該入力情報を解釈する。そして、ＭＦＰ装置１０や画像処理部７９７へ各種制御信号を送出する。また、ＭＦＰ装置１０から受け取った各種制御信号を解釈して、表示インターフェース部８０１へ表示に係る情報を送出する。
【００６０】
なお、デバイスドライバ７９６は、コンピュータが読み取り可能な記録媒体に記録された形態で供給される。このような記録媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読み取り可能な種々の媒体を利用できる。また、このようなコンピュータプログラムを、インターネットを介してコンピュータにダウンロードすることも可能である。
【００６１】
ＭＦＰ装置側制御部２０４は、メイン制御部２１０と、スキャナ制御部２３０と、プリンタ制御部２５０と、を備えている。  
メイン制御部２１０は、スキャナ制御部２３０とプリンタ制御部２５０とを司るものであり、前記インターフェース２１６や、前述したデバイスドライバ７９６に設けられている画像処理部７９７と同機能を有する（すなわち、画像データの、ＲＧＢからＹＭＣＫへの色成分の変換処理やハーフトーン処理等を実施する）画像処理部２１４などを備えている。
【００６２】
スキャナ制御部２３０は、スキャナユニット１２内の各ユニット（露光ランプ１１６ａ、ＣＣＤセンサ１１６ｄ、パルスモータ１２２ｄ等）と電気的に接続され、これらを制御するための駆動制御回路を備えている。そして、スキャナ制御部２３０は、メイン制御部２１０から入力される信号に基づいて、前記各ユニットを制御する。
【００６３】
同様に、プリンタ制御部２５０は、プリンタユニット１４内の各ユニット（帯電ユニット３０、露光ユニット４０、現像装置装着ユニット４８、一次転写ユニット６０、二次転写ユニット８０、定着ユニット９０、送風ユニット９８等）と電気的に接続され、これらを制御するための駆動制御回路を備えている。そして、プリンタ制御部２５０は、メイン制御部２１０から入力される信号に基づいて、前記各ユニットを制御する。
【００６４】
また、コンピュータ側制御部２０２、メイン制御部２１０、スキャナ制御部２３０、及び、プリンタ制御部２５０は、それぞれ、ＣＰＵとメモリとを備えている。メモリには、プログラムが格納されており、当該プログラムをＣＰＵが処理することにより、各種動作が実現される。また、メモリには、画像データや制御データ等も格納される。
【００６５】
＝＝＝ＭＦＰ装置の動作例＝＝＝
ここでは、ＭＦＰ装置１０の動作例について、説明する。前述したとおり、本実施の形態に係るＭＦＰ装置１０は、スキャナ機能、プリンタ機能（第一プリンタ機能及び第二プリンタ機能）、コピー機能、を備えている。以下では、ＭＦＰ装置１０の動作について、当該機能ごとに説明する。
【００６６】
＜＜＜スキャナ機能実行時の動作＞＞＞
先ず、ＭＦＰ装置１０においてスキャナ機能が実行されるときの、ＭＦＰ装置１０の動作について説明する。
【００６７】
作業者が、操作パネル１３０にてスキャナ機能の実行を指示する（本実施の形態においては、スキャンボタンの押下）と、操作パネル１３０は、スキャナ機能の実行を示す信号をメイン制御部２１０に送出する。そして、当該信号を受け取ったメイン制御部２１０は、媒体上の画像の読み取りを開始する旨の指示を、スキャナ制御部２３０に与える。当該指示を受け取ったスキャナ制御部２３０は、スキャナユニット１２内の露光ランプ１１６ａ、ＣＣＤセンサ１１６ｄ、パルスモータ１２２ｄ等を、これらに対応した制御回路により制御して、以下に示す画像読み取り動作をスキャナユニット１２に実行させる。
【００６８】
画像読み取り動作開始時に、先ず、露光ランプ１１６ａが、原稿台ガラス１１２の上に載置された媒体Ｐに光を照射する。そして、当該光が媒体Ｐに照射されている状態で、パルスモータ１２２ｄが、読取キャリッジ１１６を、前記順方向へ移動させる。  
読取キャリッジ１１６は、前記順方向に移動しながら、露光ランプ１１６ａから発せられた光の、媒体Ｐによる反射光、をＣＣＤセンサ１１６ｄにより受光する。このとき、ＣＣＤセンサ１１６ｄは、受光した反射光の光量を所定の周期で読み込み、読み込んだ光量を順次電圧値に変換する。  
すなわち、スキャナユニット１２は、読み取り位置を順次移動させて、媒体Ｐ上の画像を、ＲＧＢ色空間により表されるＲＧＢ画像データとして、読み込むこととなる。そして、読み込まれたＲＧＢ画像データは、最終的に、メイン制御部２１０内のメモリ２１２に格納される。
【００６９】
＜＜＜第一プリンタ機能実行時の動作＞＞＞
次に、ＭＦＰ装置１０において第一プリンタ機能が実行されるときの、ＭＦＰ装置１０の動作について説明する。なお、本実施の形態において、ＭＦＰ装置１０は、互いに異なる複数の色（すなわち、ブラック、シアン、マゼンタ、イエロー）のトナーによりカラー画像を形成可能であり、かつ、ブラック色のトナーによりモノクロ画像を形成可能である。以下では、カラー画像が形成される場合とモノクロ画像が形成される場合とに分けて、ＭＦＰ装置１０の動作について説明する。
【００７０】
＜カラー画像が形成される場合の動作＞
先ず、カラー画像が形成される場合のＭＦＰ装置１０の動作について説明する。作業者が、操作パネル１３０を操作して、プリントしたい画像とカラー画像の形成とを選択し、操作パネル１３０にて第一プリンタ機能の実行を指示する（本実施の形態においては、プリントボタンの押下）と、操作パネル１３０は、第一プリンタ機能の実行を示す信号をメイン制御部２１０に送出する。当該信号を受け取ったメイン制御部２１０は、画像処理部２１４により、前記メモリ２１２に格納されている、作業者が選択した画像に対応するＲＧＢ画像データ、の画像処理（色成分の変換処理、ハーフトーン処理等）を行い、画像形成用の画像データに変換する（変換された画像形成用画像データも前記メモリ２１２に格納される）。そして、メイン制御部２１０は、画像の形成を開始する旨の指示を、プリンタ制御部２５０に与える。当該指示を受け取ったプリンタ制御部２５０は、プリンタユニット１４内の各ユニットを、これらに対応した制御回路により制御して、以下に示す画像形成動作をプリンタユニット１４に実行させる。
【００７１】
画像形成動作開始時に、先ず、プリンタ制御部２５０の制御により感光体２０、及び、中間転写体７０が回転する。そして、その後、前記同期用読取センサＲＳにより中間転写体７０の基準位置が検出され、パルス信号が出力される。かかるパルス信号はプリンタ制御部２５０に送られ、当該パルス信号を基準として、以下に述べる種々の動作が、プリンタ制御部２５０の制御により実行される。
【００７２】
感光体２０は、回転しながら、帯電位置において帯電ユニット３０により順次帯電される。感光体２０の帯電された領域は、感光体２０の回転に伴って露光位置に至り、露光ユニット４０によって、第１色目（本実施の形態においてはブラックＫ）の画像情報に応じた潜像が、前述した画像形成用画像データに基づいて該領域に形成される。また、ロータリー５０は、ブラック（Ｋ）トナーを収容したブラック現像装置５１が感光体２０に対向した現像位置、に位置している。
【００７３】
感光体２０上に形成された潜像は、感光体２０の回転に伴って現像位置に至り、ブラック現像装置５１によってブラックトナーで現像される。これにより、感光体２０上にブラックトナー像が形成される。  
感光体２０上に形成されたブラックトナー像は、感光体２０の回転に伴って一次転写位置に至り、一次転写ユニット６０によって、中間転写体７０に転写される。この際、一次転写ユニット６０には、トナーの帯電極性とは逆の極性の一次転写電圧が印加される。なお、この間、感光体２０と中間転写体７０とは接触しており、また、二次転写ユニット８０は、中間転写体７０から離間している。
【００７４】
上記の処理が、第２色目、第３色目、及び、第４色目について、各々の現像装置毎に順次実行されることにより、画像形成用画像データに対応した４色のトナー像が、中間転写体７０に重なり合って転写される。これにより、中間転写体７０上にはフルカラートナー像が形成される。
【００７５】
中間転写体７０上に形成されたフルカラートナー像は、中間転写体７０の回転に伴って二次転写位置に至り、二次転写ユニット８０によって媒体に転写される。なお、媒体は、給紙トレイ９２から、給紙ローラ９４、レジローラ９６を介して二次転写ユニット８０へ搬送される。また、転写動作を行う際、二次転写ユニット８０が、移動して中間転写体７０に媒体を介して当接するとともに、当該二次転写ユニット８０には、二次転写電圧が印加される。  
媒体に転写されたフルカラートナー像は、定着ユニット９０によって加熱加圧されて媒体に融着される。
【００７６】
一方、感光体２０は一次転写位置を経過した後に、クリーニングユニット７５に支持されたクリーニングブレード７６によって、その表面に付着しているトナーが掻き落とされ、次の潜像を形成するための帯電に備える。掻き落とされたトナーは、クリーニングユニット７５が備える残存トナー回収部に回収される。
【００７７】
＜モノクロ画像が形成される場合の動作＞
次に、モノクロ画像が形成される場合のＭＦＰ装置１０の動作について説明する。作業者が、操作パネル１３０を操作して、プリントしたい画像とモノクロ画像の形成とを選択し、操作パネル１３０にて第一プリンタ機能の実行を指示する（本実施の形態においては、プリントボタンの押下）と、操作パネル１３０は、第一プリンタ機能の実行を示す信号をメイン制御部２１０に送出する。当該信号を受け取ったメイン制御部２１０は、画像処理部２１４により、前記メモリ２１２に格納されている、作業者が選択した画像に対応するＲＧＢ画像データ、の画像処理を行い、画像形成用の画像データに変換する（変換された画像形成用画像データも前記メモリ２１２に格納される）。そして、メイン制御部２１０は、画像の形成を開始する旨の指示を、プリンタ制御部２５０に与える。当該指示を受け取ったプリンタ制御部２５０は、プリンタユニット１４内の各ユニットを、これらに対応した制御回路により制御して、以下に示す画像形成動作をプリンタユニット１４に実行させる。
【００７８】
画像形成動作開始時に、先ず、プリンタ制御部２５０の制御により感光体２０、及び、中間転写体７０が回転する。そして、その後、前記同期用読取センサＲＳにより中間転写体７０の基準位置が検出され、パルス信号が出力される。かかるパルス信号はプリンタ制御部２５０に送られ、当該パルス信号を基準として、以下に述べる種々の動作が、プリンタ制御部２５０の制御により実行される。
【００７９】
感光体２０は、回転しながら、帯電位置において帯電ユニット３０により順次帯電される。感光体２０の帯電された領域は、感光体２０の回転に伴って露光位置に至り、露光ユニット４０によって、画像情報に応じた潜像が、前述した画像形成用画像データに基づいて該領域に形成される。また、ロータリー５０は、ブラック（Ｋ）トナーを収容したブラック現像装置５１が感光体２０に対向した現像位置、に位置している。
【００８０】
感光体２０上に形成された潜像は、感光体２０の回転に伴って現像位置に至り、ブラック現像装置５１によってブラックトナーで現像される。これにより、感光体２０上にブラックトナー像が形成される。  
感光体２０上に形成されたブラックトナー像は、感光体２０の回転に伴って一次転写位置に至り、一次転写ユニット６０によって、中間転写体７０に転写される。この際、一次転写ユニット６０には、トナーの帯電極性とは逆の極性の一次転写電圧が印加される。なお、この間、感光体２０と中間転写体７０とは接触しており、また、二次転写ユニット８０は、中間転写体７０から離間している。
【００８１】
中間転写体７０上に形成されたブラックトナー像は、中間転写体７０の回転に伴って二次転写位置に至り、二次転写ユニット８０によって媒体に転写される。なお、媒体は、給紙トレイ９２から、給紙ローラ９４、レジローラ９６を介して二次転写ユニット８０へ搬送される。また、転写動作を行う際、二次転写ユニット８０が、移動して中間転写体７０に媒体を介して当接するとともに、当該二次転写ユニット８０には、二次転写電圧が印加される。  
媒体に転写されたブラックトナー像は、定着ユニット９０によって加熱加圧されて媒体に融着される。
【００８２】
一方、感光体２０は一次転写位置を経過した後に、クリーニングユニット７５に支持されたクリーニングブレード７６によって、その表面に付着しているトナーが掻き落とされ、次の潜像を形成するための帯電に備える。掻き落とされたトナーは、クリーニングユニット７５が備える残存トナー回収部に回収される。
【００８３】
＜＜＜第二プリンタ機能実行時の動作＞＞＞
次に、ＭＦＰ装置１０において第二プリンタ機能が実行されるときの、ＭＦＰ装置１０の動作について説明する。
【００８４】
コンピュータ７０２から画像データ（信号）及び制御データ（信号）がインターフェース２１６を介してＭＦＰ装置１０のメイン制御部２１０に入力されると、メイン制御部２１０は、制御データ（信号）に含まれる第二プリンタ機能の実行を示す信号に基づいて、画像の形成を開始する旨の指示を、プリンタ制御部２５０に与える。当該指示を受け取ったプリンタ制御部２５０は、プリンタユニット１４内の各ユニットを、これらに対応した制御回路により制御して、前述した画像形成動作をプリンタユニット１４に実行させる。なお、前記コンピュータ７０２から送られてくる画像データは、画像処理済みの画像形成用画像データであり（画像処理は、コンピュータ７０２に設けられたデバイスドライバ７９６内の前述した画像処理部７９７により実施される）、かかる際には、第一プリンタ機能実行の場合とは異なり、画像処理部２１４による画像処理は実行されない。
【００８５】
＜＜＜コピー機能実行時の動作＞＞＞
次に、ＭＦＰ装置１０においてコピー機能が実行されるときの、ＭＦＰ装置１０の動作について説明する。
【００８６】
作業者が、操作パネル１３０にてコピー機能の実行を指示する（本実施の形態においては、コピーボタンの押下）と、操作パネル１３０は、コピー機能の実行を示す信号をメイン制御部２１０に送出する。そして、当該信号を受け取ったメイン制御部２１０は、媒体上の画像の読み取りを開始する旨の指示を、スキャナ制御部２３０に与える。当該指示を受け取ったスキャナ制御部２３０は、スキャナユニット１２内の露光ランプ１１６ａ、ＣＣＤセンサ１１６ｄ、パルスモータ１２２ｄ等を、これらに対応した制御回路により制御して、前述した画像読み取り動作をスキャナユニット１２に実行させる。
【００８７】
そして、メイン制御部２１０は、スキャナユニット１２により読み込まれ、メイン制御部２１０内のメモリ２１２に格納されたＲＧＢ画像データ、の画像処理を画像処理部２１４により行い、画像形成用画像データに変換する。そして、メイン制御部２１０は、画像の形成を開始する旨の指示を、プリンタ制御部２５０に与える。当該指示を受け取ったプリンタ制御部２５０は、プリンタユニット１４内の各ユニットを、これらに対応した制御回路により制御して、前述した画像形成動作をプリンタユニット１４に実行させる。
【００８８】
＝＝＝設置状態確認動作モードについて＝＝＝
画像形成システム７００（ＭＦＰ装置１０）は、前述したとおり、複数の機能、すなわち、スキャナ機能、プリンタ機能、コピー機能等を有しており、当該画像形成システム７００（ＭＦＰ装置１０）においては、前記複数の機能の並行実施が可能となるように、スキャナユニット１２が、プリンタユニット１４の動作中に画像を読み取ることが可能となっている。
【００８９】
また、発明が解決しようとする課題の項で説明したとおり、プリンタユニット１４が画像形成動作を実行する際に、当該プリンタユニット１４が振動する場合がある。そして、スキャナユニット１２がプリンタユニット１４の画像形成動作中に画像を読み取る際には、当該振動が、プリンタユニット１４及びスキャナユニット１２が設置されている設置台等を介してスキャナユニット１２に伝わる可能性がある。なお、当該振動がスキャナユニット１２にどの程度伝わるかは、装置（スキャナユニット１２やプリンタユニット１４）の設置状態に依存する。当該設置状態としては、装置がどのような設置台に設置されているか、装置が設置台のどの位置に設置されているか（スキャナユニット１２とプリンタユニット１４とがどのくらいの距離をおいて設置されているか等）、装置がどのような向きで設置されているか（スキャナユニット１２がプリンタユニット１４に対してどのような向きで設置されているか等）、装置に備えられた前述した脚１９、１１０がどのようなものか等、を挙げることができる。そして、設置状態が不適切である場合には、プリンタユニット１４の振動がスキャナユニット１２に顕著に伝わり、画像の読み取りが不適切に実行されることとなる。
【００９０】
かかる課題を解決するために、本実施の形態に係る画像形成システム７００は、装置（本実施の形態においては、プリンタユニット１４とスキャナユニット１２の双方であるが、これに限定されるものではなく、どちらか一方でも構わない）の設置状態を確認するためにプリンタユニット１４の画像形成動作中に画像としてテストパターンをスキャナユニット１２に読み取らせる設置状態確認動作モード、を備えている。画像形成システム７００のユーザやサービスマン等（当該ユーザやサービスマン等を、取り扱い者と呼ぶ）は、スキャナユニット１２がプリンタユニット１４の画像形成動作中に媒体上の画像を読み取る際にプリンタユニット１４の振動が実際に画像読み取りにどの程度影響を及ぼすか、を把握することができ、前記設置状態（が適切か否か）を確認することができる。そして、取り扱い者は、当該設置状態を改善させるための方策を講じることにより、画像の読み取りが不適切に実行される問題を解決することができる。本項では、当該設置状態確認動作モードについて説明する。
【００９１】
＜＜＜テストパターンについて＞＞＞
本実施の形態においては、前記設置状態確認動作モードが実行される際に、スキャナユニット１２が、紙等の媒体Ｐに形成されたテストパターンを読み取る動作を実行する。ここでは、当該テストパターンについて、図８を用いて説明する。図８は、テストパターンの一例を示した図である。なお、本図においては、テストパターンが形成された媒体Ｐが前記原稿台ガラス１１２に載置された際の、読取キャリッジ１１６の移動方向に沿う媒体Ｐ上の方向をＸ方向、当該移動方向に直交する前記直交方向に沿う媒体Ｐ上の方向をＹ方向とする。
【００９２】
図８に示すように、テストパターンは、同方向に引かれた複数の直線からなる、複数の（すなわち、二つの）直線群４１０である。そして、媒体ＰのＹ方向一端部に第一直線群４１２が、媒体のＹ方向他端部に第二直線群４１４が、それぞれ位置している。  
直線群４１０に属する直線は、いずれも斜めに引かれている。本実施の形態に係る直線は、図８において右下がりとなっているが、左下がりとなっていてもよい。また、第一直線群４１２に属する直線群が右下がり（左下がり）、第二直線群４１４に属する直線群が左下がり（右下がり）となっていてもよい。  
また、第一直線群４１２又は第二直線群４１４に属する複数の直線のうちの一の直線（例えば、記号Ｌで示される直線）、のＸ方向下流側の端Ｌｅは、当該一の直線Ｌと隣り合う他の直線であって前記一の直線よりも前記Ｘ方向下流側に位置する他の直線Ｍ、のＸ方向上流側の端Ｍｅよりも、Ｘ方向下流側に位置している。
【００９３】
なお、テストパターンが形成されている上述した媒体Ｐは、複数の形態で供給され得る。本実施の形態に係る画像形成システム７００は、前記テストパターンを媒体に形成するためのテストパターン形成動作モード（後に詳述する）、を備えており、取り扱い者は、当該テストパターン形成動作モードを実行することで、テストパターンが形成されている上述した媒体Ｐを取得することができる。また、テストパターンが形成されている上述した媒体Ｐは、画像形成システム７００（より正確には、ＭＦＰ装置１０）の付属品となっており、したがって、ユーザは、ＭＦＰ装置１０を購入すれば、テストパターンが形成されている上述した媒体Ｐを取得することができる。
【００９４】
＜＜＜設置状態確認動作モードが実行されるときの、画像形成システムの動作例＞＞＞
次に、設置状態確認動作モードが実行されるときの、画像形成システム７００の動作例について、図９乃至図１１を用いて説明する。図９は、画像形成システム７００の動作を示すフローチャートである。図１０は、設置状態確認動作モードに関する情報が媒体Ｐに形成された様子を示した図である。図１１については、後述する。なお、設置状態確認動作モードが実行されるときの画像形成システム７００の各種動作は、主として、画像形成システム７００内のコントローラ２００（図７）により実現される。特に、本実施の形態においては、メモリに格納されたプログラムをＣＰＵが処理することにより実現される。そして、このプログラムは、以下に説明される各種の動作を行うためのコードから構成されている。
【００９５】
このフローチャートは、取り扱い者が、テストパターンが形成されている上述した媒体Ｐをスキャナユニット１２の原稿台ガラス１１２に載置して（ステップＳ２）、設置状態確認動作モードの実行を示す情報を入力する（ステップＳ４）こと、から始まる。取り扱い者が、前記表示装置７０４に表示されたユーザインターフェースウィンドウ上で前記入力装置７０８によって設置状態確認動作モードの実行を示す情報を入力すると、当該入力情報を受け取ったデバイスドライバ７９６の入力インターフェース部８０３は、この情報をユーザインターフェース処理部８０５へ送り、当該ユーザインターフェース処理部８０５は、受け取った情報を処理して、インターフェース８０８を介してＭＦＰ装置１０へ、制御信号として当該情報を送出する。
【００９６】
ＭＦＰ装置１０のメイン制御部２１０は、設置状態確認動作モードの実行を示す制御信号を、インターフェース２１６を介して受け取る。そして、当該信号を受け取ったメイン制御部２１０は、媒体Ｐ上の画像（すなわち、テストパターン）の読み取りを開始する旨の指示を、スキャナ制御部２３０に与える。当該指示を受け取ったスキャナ制御部２３０は、スキャナユニット１２内の露光ランプ１１６ａ、ＣＣＤセンサ１１６ｄ、パルスモータ１２２ｄ等を、これらに対応した制御回路により制御して、「スキャナ機能実行時の動作」の項で説明した画像読み取り動作をスキャナユニット１２に実行させる。
【００９７】
スキャナユニット１２による画像（テストパターン）読み取り動作が開始された（ステップＳ６）後に、メイン制御部２１０は、画像の形成を開始する旨の指示をプリンタ制御部２５０に与える。かかる際に、メイン制御部２１０は、先ず、カラー画像の形成を実行し、引き続いて、モノクロ画像の形成を実行することをプリンタ制御部２５０に指示する。当該指示を受け取ったプリンタ制御部２５０は、プリンタユニット１４内の各ユニットを、これらに対応した制御回路により制御して、先ず、「カラー画像が形成される場合の動作」の項で説明したカラー画像形成動作をプリンタユニット１４に実行させる（ステップＳ８）。そして、プリンタユニット１４によるカラー画像形成動作が終了した（ステップＳ１０）後に、プリンタ制御部２５０は、引き続いて、「モノクロ画像が形成される場合の動作」の項で説明したモノクロ画像形成動作をプリンタユニット１４に実行させる（ステップＳ１２）。
【００９８】
なお、カラー画像形成動作が実行される際に用いられる前述した画像形成用画像データ（すなわち、カラー画像形成動作が実行される際に潜像形成の基礎となる画像データ。以下、カラー画像形成用画像データとも呼ぶ）と、モノクロ画像形成動作が実行される際に用いられる画像形成用画像データ（すなわち、モノクロ画像形成動作が実行される際に潜像形成の基礎となる画像データ。以下、モノクロ画像形成用画像データとも呼ぶ）は、共に、メイン制御部２１０のメモリ２１２に備えられている。そして、メイン制御部２１０は、画像の形成を開始する旨の指示をプリンタ制御部２５０に与える際に、カラー画像形成用画像データ及びモノクロ画像形成用画像データをプリンタ制御部２５０に送ることとなる。
【００９９】
また、本実施の形態においては、カラー画像形成用画像データとして、白紙に対応した画像データが、モノクロ画像形成用画像データとして、設置状態確認動作モードに関する情報を示す画像に対応した画像データが、それぞれ用意されている。したがって、設置状態確認動作モードにおいては、カラー画像形成動作が実行される一方で、媒体Ｐへのカラー画像形成は行われない（カラー画像が形成されていない媒体Ｐが排出される）。また、モノクロ画像形成動作が実行されることにより、設置状態確認動作モードに関する情報（当該情報が媒体Ｐに形成された様子を、図１０に示す）が媒体Ｐに形成されることとなる。
【０１００】
プリンタユニット１４の上述したカラー画像形成動作中及びモノクロ画像形成動作中にも、スキャナユニット１２によるテストパターンの読み取りは継続している。そして、プリンタユニット１４によるモノクロ画像形成動作が終了した（ステップＳ１４）後に、スキャナユニット１２は、テストパターンの読み取りを完了し、スキャナユニット１２による画像（テストパターン）読み取り動作が終了する（ステップＳ１６）。なお、設置状態確認動作モードにおいては、スキャナユニット１２が一枚の媒体Ｐに形成されたテストパターンの読み取りを開始してから終了するまでの間にプリンタユニット１４のカラー画像形成動作及びモノクロ画像形成動作が実行されるように、前記読み取りを開始してから終了するまでの読み取り時間（換言すれば、読取キャリッジ１１６の移動速度）が決められている。また、テストパターンを読み取る際の読取解像度の値が大きくなるほど（小さくなるほど）前記読み取り時間が長くなる（短くなる）ことを利用して、当該読み取り時間は、前記読取解像度を適正な値に設定することにより調整されている。
【０１０１】
媒体Ｐ上のテストパターンは、前記ＲＧＢ画像データとして読み込まれ、読み込まれたＲＧＢ画像データ（すなわち、スキャナユニット１２がテストパターンを読み取ることにより取得された読み取りデータ）は、メイン制御部２１０内のメモリ２１２に一旦格納される。
【０１０２】
コントローラ２００は、当該読み取りデータに基づいて、読み取りパターンを前記表示装置７０４に表示する（ステップＳ１８）。また、表示装置７０４には、読み取りパターンと共に種々の付加情報が表示される。上記を実現するために、先ず、メイン制御部２１０は、前述した読み取りデータを加工して、読み取りパターンに前記付加情報が付加された画像、に係るＲＧＢ画像データ（以下、表示用画像データとも呼ぶ）を作成する。そして、メイン制御部２１０は、インターフェース２１６を介してコンピュータ７０２へ、制御信号として当該表示用画像データを送出する。コンピュータ７０２のデバイスドライバ７９６は、当該制御信号を、インターフェース８０８を介して受け取り、ユーザインターフェース処理部８０５及び表示インターフェース部８０１で処理して、読み取りパターンに前記付加情報が付加された画像を表示装置７０４に表示する。
【０１０３】
図１１に、読み取りパターンに付加情報が付加された画像、が表示装置７０４に表示された様子を示す。図に示すように、本実施の形態において、読み取りパターンは、表示装置７０４に表されたウィンドウ（すなわち、設置状態確認動作モードの実行結果を示すウィンドウ）上の左側（ウィンドウ上の当該左側のエリアを、便宜上、読み取りパターン表示部と呼ぶ）に表示される。
【０１０４】
なお、本実施の形態においては、読み取りパターンが、媒体Ｐ上のテストパターンと同一スケールで表示されるようになっている。そのため、表示装置７０４やウィンドウの大きさが小さいときには、全ての読み取りパターンを一度にウィンドウに表示させることが不可能となり得る。しかしながら、本実施の形態においては、スクロールバーが用意されているため、取り扱い者は、スクロールバーを操作することにより、読み取りパターンのうち取り扱い者が見たい部分、を表示させることができる。なお、デフォルト状態においては、読み取りパターンが媒体Ｐ上のテストパターンと同一スケールで表示されるが、設定を変えることにより、読み取りパターンを拡大、縮小させることも可能である。
【０１０５】
また、上記において、スキャナユニット１２がプリンタユニット１４の画像形成動作中に画像（例えば、テストパターン）を読み取る際に、プリンタユニット１４の振動が設置台等を介してスキャナユニット１２に伝わり得ることについて説明したが、当該振動がスキャナユニット１２に伝わると、スキャナユニット１２の読取キャリッジ１１６が当該読取キャリッジ１１６の移動方向に沿って振動する。そして、読取キャリッジ１１６がこのように振動すると、読み取りパターンに波状の乱れ（図１１に示した例においては、当該乱れが記号Ｐ１で示した位置で発生している）が生ずることとなる。取り扱い者は、表示装置７０４に表示された当該乱れの発生の有無や発生の程度を確認することにより、振動の画像読み取りへの影響を把握することができる。
【０１０６】
また、図に示すように、本実施の形態においては、以下に示す付加情報が、表示装置７０４に表されたウィンドウ上に表示される。  
先ず、読み取りパターンが、スキャナユニット１２がカラー画像形成動作中にテストパターンを読み取ることにより得られたものか、スキャナユニット１２がモノクロ画像形成動作中にテストパターンを読み取ることにより得られたものか、を示す情報が、前記読み取りパターン表示部（記号Ｐ２で示した位置）に表示される。図１１に示した例においては、点線よりも上側の読み取りパターンが、スキャナユニット１２がカラー画像形成動作中にテストパターンを読み取ることにより得られたものであり、点線よりも下側の読み取りパターンが、スキャナユニット１２がモノクロ画像形成動作中にテストパターンを読み取ることにより得られたものである
次に、設置状態を改善させるための方策に係る情報が、表示装置７０４に表示される。図に示すように、本実施の形態において、当該情報は、表示装置７０４に表されたウィンドウ上の右側に表示され、読み取りパターンに波状の乱れが生じている場合には、設置状態の変更、すなわち、設置台の変更、スキャナユニット１２やプリンタユニット１４の置き場所の変更、スキャナユニット１２やプリンタユニット１４の向きの変更、及び、脚１９、１１０の取り替え、を実施することにより改善する可能性がある旨が、表示される。
【０１０７】
ここで、脚１９、１１０の取り替えについて、説明を加える。上述したとおり、脚１９、１１０は、装置が設置される設置台からの、又は、該設置台への振動の伝達を防止する役割を果たし、本実施の形態においては、脚１９と脚１１０の各々毎に、互いにその特性が異なる４種類の脚（第一脚乃至第四脚）が用意されている。そして、第一脚は、周波数が非常に高い振動、の伝達を適切に防止可能な特性を、第二脚は、周波数が高い振動、の伝達を適切に防止可能な特性を、第三脚は、周波数が低い振動、の伝達を適切に防止可能な特性を、第四脚は、周波数が非常に低い振動、の伝達を適切に防止可能な特性を、それぞれ有している。
【０１０８】
そこで、本実施の形態においては、図１１に示すように、周波数が非常に高い振動により、波の揺れの周波数が非常に高い波状の乱れが発生している場合には、第一脚への取り替えを、周波数が高い振動により、波の揺れの周波数が高い波状の乱れが発生している場合には、第二脚への取り替えを、周波数が低い振動により、波の揺れの周波数が低い波状の乱れが発生している場合には、第三脚への取り替えを、周波数が非常に低い振動により、波の揺れの周波数が非常に低い波状の乱れが発生している場合には、第四脚への取り替えを、それぞれ促すメッセージが、表示される。これにより、取り扱い者は、脚１９、１１０の、該脚１９、１１０とは異なる特性を有する他の脚１９、１１０への取り替えを、円滑に実施することができる。また、波の揺れの周波数が非常に高い波状の乱れの例と、波の揺れの周波数が高い波状の乱れの例と、波の揺れの周波数が低い波状の乱れの例と、波の揺れの周波数が非常に低い波状の乱れの例と、が読み取りパターン表示部の中央に表示されるから、取り扱い者は、当該例と読み取りパターンに実際に生じた波状の乱れと、を比較することにより、適切な脚１９，１１０を容易に選択することができる。
【０１０９】
上述したように、本実施の形態に係る画像形成システム７００のコントローラ２００は、装置の設置状態を確認するためにプリンタユニット１４の画像形成動作中に画像としてテストパターンをスキャナユニット１２に読み取らせる設置状態確認動作モード、を実行させる機能を有している。このことにより、取り扱い者は、当該設置状態確認動作モードを実行することで、読み取りパターンに発生する波状の乱れの有無や発生の程度を確認することにより、スキャナユニット１２がプリンタユニット１４の画像形成動作中に媒体上の画像を読み取る際にプリンタユニット１４の振動が実際に画像読み取りにどの程度影響を及ぼすか、を把握することができ、前記設置状態（が適切か否か）を確認することができる。そして、取り扱い者は、当該設置状態を改善させるための方策を講じることにより、画像の読み取りが不適切に実行される問題を解決することができる。
【０１１０】
＜＜＜テストパターン形成動作モードが実行されるときの、画像形成システムの動作例＞＞＞
次に、テストパターン形成動作モードが実行されるときの、画像形成システム７００の動作例について、図１２を用いて説明する。図１２は、画像形成システム７００の動作を示すフローチャートである。なお、テストパターン形成動作モードが実行されるときの画像形成システム７００の各種動作は、主として、画像形成システム７００内のコントローラ２００（図７）により実現される。特に、本実施の形態においては、メモリに格納されたプログラムをＣＰＵが処理することにより実現される。そして、このプログラムは、以下に説明される各種の動作を行うためのコードから構成されている。
【０１１１】
このフローチャートは、取り扱い者が、テストパターン形成動作モードの実行を示す情報を入力する（ステップＳ１０４）こと、から始まる。取り扱い者が、前記表示装置７０４に表示されたユーザインターフェースウィンドウ上で前記入力装置７０８によってテストパターン形成動作モードの実行を示す情報を入力すると、当該入力情報を受け取ったデバイスドライバ７９６の入力インターフェース部８０３は、この情報をユーザインターフェース処理部８０５へ送り、当該ユーザインターフェース処理部８０５は、受け取った情報を処理して、インターフェース８０８を介してＭＦＰ装置１０へ、制御信号として当該情報を送出する。
【０１１２】
ＭＦＰ装置１０のメイン制御部２１０は、テストパターン形成動作モードの実行を示す制御信号を、インターフェース２１６を介して受け取る。そして、当該信号を受け取ったメイン制御部２１０は、テストパターンの形成を開始する旨の指示をプリンタ制御部２５０に与える。当該指示を受け取ったプリンタ制御部２５０は、プリンタユニット１４内の各ユニットを、これらに対応した制御回路により制御して、「モノクロ画像が形成される場合の動作」の項で説明したモノクロ画像形成動作をプリンタユニット１４に実行させる（ステップＳ１０６）。なお、テストパターン形成動作が実行される際に用いられる、テストパターンに対応したテストパターン形成用画像データは、メイン制御部２１０のメモリ２１２に備えられている。そして、メイン制御部２１０は、画像の形成を開始する旨の指示をプリンタ制御部２５０に与える際に、テストパターン形成用画像データをプリンタ制御部２５０に送ることとなる。そして、テストパターン形成動作が実行されることにより、図８に示したテストパターンが媒体に形成されることとなる（ステップＳ１０８）。
【０１１３】
＝＝＝その他の実施の形態＝＝＝
以上、上記実施の形態に基づき本発明に係る画像形成システムを説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１１４】
また、上記実施の形態において、プリンタユニット１４は、互いに異なる複数の色のトナーによりカラー画像を形成可能であり、かつ、ブラック色のトナーによりモノクロ画像を形成可能であり、設置状態確認動作モードが実行される際には、プリンタユニット１４のカラー画像形成動作中及びモノクロ画像形成動作中に、スキャナユニット１２がテストパターンを読み取ることとしたが、これに限定されるものではない。例えば、プリンタユニット１４は、カラー画像とモノクロ画像の双方を形成可能であるが、設置状態確認動作モードにおいてスキャナユニット１２がテストパターンを読み取る際に実行される画像形成動作は、カラー画像形成動作のみであることとしてもよい。  
ただし、スキャナユニット１２がプリンタユニット１４の画像形成動作中に媒体上の画像を読み取る際にプリンタユニット１４の振動が実際に画像読み取りにどの程度影響を及ぼすか、をより詳細に把握することができる点で、上記実施の形態の方が望ましい。
【０１１５】
また、プリンタユニット１４は、モノクロレーザビームプリンタであり、設置状態確認動作モードが実行される際には、プリンタユニット１４のモノクロ画像形成動作中に、スキャナユニット１２がテストパターンを読み取ることとしてもよい。
【０１１６】
また、上記実施の形態において、設置状態確認動作モードにおいては、スキャナユニット１２が一枚の媒体に形成されたテストパターンの読み取りを開始してから終了するまでの間に、カラー画像形成動作及びモノクロ画像形成動作が実行されることとしたが、これに限定されるものではない。例えば、スキャナユニット１２が一枚の媒体に形成されたテストパターンの読み取りを開始してから終了するまでの間に、カラー画像形成動作が実行され、スキャナユニット１２がもう一枚の媒体に形成されたテストパターンの読み取りを開始してから終了するまでの間に、モノクロ画像形成動作が実行されることとしてもよい。  
ただし、テストパターンが形成された媒体を節約することが可能となる点で、上記実施の形態の方がより望ましい。
【０１１７】
また、上記実施の形態において、設置状態確認動作モードにおいては、カラー画像形成動作が実行される一方で、媒体へのカラー画像形成は行われず、かつ、モノクロ画像形成動作が実行されることにより、設置状態確認動作モードに関する情報が媒体に形成されることとしたが、これに限定されるものではなく、例えば、モノクロ画像形成動作が実行される際にも、媒体へのモノクロ画像形成が行われないこととしてもよい。
【０１１８】
上記二つの例についての優位性について考察すると、設置状態確認動作モードに関する情報が媒体に形成される場合には、取り扱い者の利便性が向上するメリットが生じ、一方、（カラー及びモノクロ）画像形成動作が実行される一方で、媒体への（カラー及びモノクロ）画像形成は行われない場合には、トナーを節約することが可能となるメリットが生ずる。
【０１１９】
また、上記実施の形態において、画像形成システム７００は、コンピュータ７０２を備えており、該コンピュータ７０２の一部がコントローラ２００の一部を構成していることしたが、これに限定されるものではなく、例えば、画像形成システム７００はコンピュータ７０２を備えていなくてもよい。すなわち、上記実施の形態においては、画像形成システム７００は、スキャナユニット１２及びプリンタユニット１４を有するＭＦＰ装置１０と、コンピュータ７０２と、を備え、画像形成システム７００のコントローラ２００は、メイン制御部２１０、スキャナ制御部２３０及びプリンタ制御部２５０を有するＭＦＰ装置側制御部２０４と、コンピュータ側制御部２０２と、を備えることとしたが、画像形成システム７００は、ＭＦＰ装置１０を備える一方でコンピュータ７０２を備えず、コントローラ２００は、ＭＦＰ装置側制御部２０４を備える一方でコンピュータ側制御部２０２を備えないこととしてもよい。かかる際には、デバイスドライバ７９６の前述した機能をメイン制御部２１０に、表示装置７０４の前述した機能を操作パネル１３０に設けられている液晶パネルに、入力装置の前述した機能を操作パネル１３０に設けられている操作ボタン（例えば、設置状態確認動作モードの実行ボタンやテストパターン形成動作モードの実行ボタン）にそれぞれ持たせることにより、本発明に係る画像形成システムを実現することができる。
【０１２０】
また、上記実施の形態において、設置状態確認動作モードが実行される際に、コントローラ２００は、スキャナユニット１２がテストパターンを読み取ることにより取得された読み取りデータ、に基づいて読み取りパターンを表示装置７０４に表示することとしたが、これに限定されるものではない。例えば、読み取りパターンを媒体に形成することとしてもよい。  
コントローラ２００が読み取りパターンを媒体に形成する場合には、プリンタユニット１４が動作するから、プリンタユニット１４の振動の影響で読み取りパターンが正確に媒体に形成されない恐れがある。コントローラ２００が読み取りパターンを表示装置７０４に表示する場合には、かかる恐れはないから、取り扱い者が、正確な情報に基づいて、前記乱れの発生の有無や発生の程度を確認することができる。したがって、かかる点で、上記実施の形態の方がより望ましい。
【０１２１】
また、上記実施の形態において、コントローラ２００は、読み取りパターンを、テストパターンと同一スケールで、表示装置７０４に表示することとしたが、これに限定されるものではない。例えば、読み取りパターンがテストパターンと同一スケールで表示されないこととしてもよい。  
ただし、取り扱い者が、スキャナユニット１２がプリンタユニット１４の画像形成動作中に媒体上の画像を読み取る際にプリンタユニット１４の振動が実際に画像読み取りにどの程度影響を及ぼすか、を、より正確に把握することができる点で、上記実施の形態の方がより望ましい。
【０１２２】
また、上記実施の形態において、コントローラ２００は、読み取りパターンと共に、設置状態を改善させるための方策に係る情報、を表示装置７０４に表示することとしたが、これに限定されるものではない。例えば、設置状態を改善させるための方策に係る情報、を表示装置７０４に表示しないこととしてもよい。  
ただし、取り扱い者が、設置状態を改善させるための方策を円滑に講じることができる点で、上記実施の形態の方がより望ましい。
【０１２３】
また、上記実施の形態においては、設置状態を改善させるための方策に係る情報として、設置台に関する方策、装置の置き場所に関する方策、装置の向きに関する方策、及び、脚１９、１１０に関する方策、に係る情報が、表示装置７０４に表示されることとしたが、これらに限定されるものではなく、設置状態を改善させるための方策に係る情報であればどのようなものでも構わない。
【０１２４】
また、上記実施の形態においては、脚１９、１１０に関する方策は、脚１９、１１０の、該脚１９、１１０とは異なる特性を有する他の脚１９、１１０への取り替え、であることとしたが、これに限定されるものではない。例えば、脚１９、１１０の特性が切り替え可能となっており、脚１９、１１０に関する方策は、当該特性の切り替えであることとしてもよい。
【図面の簡単な説明】
【０１２５】
【図１】画像形成システム７００の外観構成例を示した斜視図である。
【図２】スキャナユニット１２の構成例を示した図である。
【図３】スキャナユニット１２の構成例を示した図である。
【図４】スキャナユニット１２の構成例を示した図である。
【図５】スキャナユニット１２の側面図である。
【図６】プリンタユニット１４の構成例を示した図である。
【図７】図１に示した画像形成システム７００の構成の一部を示すブロック図である。
【図８】テストパターンの一例を示した図である。
【図９】画像形成システム７００の動作を示すフローチャートである。
【図１０】設置状態確認動作モードに関する情報が媒体Ｐに形成された様子を示した図である。
【図１１】読み取りパターンに付加情報が付加された画像、が表示装置７０４に表示された様子を示した図である。
【図１２】画像形成システム７００の動作を示すフローチャートである。
【符号の説明】
【０１２６】
１０  ＭＦＰ装置                    １２  スキャナユニット
１４  プリンタユニット              １６  信号線
１８  筐体                          １９  脚
２０  感光体                        ３０  帯電ユニット
４０  露光ユニット                  ４８  現像装置装着ユニット
５０  ロータリー
５０ａ、５０ｂ、５０ｃ、５０ｄ  装着部    ５０ｅ  回動軸
５１  ブラック現像装置              ５２  シアン現像装置
５３  マゼンタ現像装置              ５４  イエロー現像装置
６０  一次転写ユニット              ７０  中間転写体
７５  クリーニングユニット          ７６  クリーニングブレード
８０  二次転写ユニット              ９０  定着ユニット
９０ａ  定着ローラ                  ９０ｂ  加圧ローラ
９２  給紙トレイ                    ９４  給紙ローラ
９６  レジローラ                    ９８  送風ユニット
９８ａ  ファン                      １０８  筐体
１１０  脚                            １１２  原稿台ガラス
１１４  原稿台カバー                  １１６  読取キャリッジ
１１６ａ  露光ランプ                  １１６ｂ  レンズ
１１６ｃ  ミラー                      １１６ｄ  ＣＣＤセンサ
１１６ｅ  ガイド受け部                １１６ｆ  スライド部材
１１８  ガイド部材                    １２０  支持レール
１２２  駆動部                        １２２ａ  タイミングベルト
１２２ｂ  駆動プーリ                  １２２ｃ  従動プーリ
１２２ｄ  パルスモータ                １２２ｅ  ホームポジションセンサ
１３０  操作パネル                    ２００  コントローラ
２０２  コンピュータ側制御部          ２０４  ＭＦＰ装置側制御部
２１０  メイン制御部                  ２１２  メモリ
２１４  画像処理部                    ２１６  インターフェース
２３０  スキャナ制御部                ２５０  プリンタ制御部
４１０  直線群                        ４１２  第一直線群
４１４  第二直線群
７００  画像形成システム              ７０２  コンピュータ
７０４  表示装置                      ７０８  入力装置
７０８Ａ  キーボード                  ７０８Ｂ  マウス
７１０  メディア読取装置
７１０Ａ  フレキシブルディスクドライブ装置
７１０Ｂ  ＣＤ−ＲＯＭドライブ装置
７９５  アプリケーションプログラム
７９６  デバイスドライバ              ７９７  画像処理部
８０１  表示インターフェース部        ８０３  入力インターフェース部
８０５  ユーザインターフェース処理部  ８０８  インターフェース
Ｐ  媒体
【図１】
2006345078.tif 000003
【図２】
2006345078.tif 000004
【図３】
2006345078.tif 000005
【図４】
2006345078.tif 000006
【図５】
2006345078.tif 000007
【図６】
2006345078.tif 000008
【図７】
2006345078.tif 000009
【図８】
2006345078.tif 000010
【図９】
2006345078.tif 000011
【図１０】
2006345078.tif 000012
【図１１】
2006345078.tif 000013
【図１２】
2006345078.tif 000014